(57)【要約】【課題】機能の異なるスイッチを１つのスイッチに集約して部品点数を削減する。【解決手段】スイッチノブ１０の下端に端子突起部１６が形成され、端子突起部１６に凸形状のスイッチ摺動子３０が係合する。スイッチノブ１０にスライドレール２０を挿通可能な中空部１８が形成され、中空部１８の一方端底面に爪部が形成される。スライドレール２０の背面に爪部と係合可能な複数の係合溝が設けられ、プリント配線基板４０にスイッチノブ１０に取り付けられたスイッチ摺動子３０の凸部が突出し摺動可能な開口部４２が設けられ、開口部４２の下方に複数のランプ５０毎に電気的に接続された複数の接点を有する基板が設けられる。スイッチノブ１０の爪部がスライドレール２０の１つの係合溝２２に係合すると、スイッチノブ１０が下方に移動し、スイッチ摺動子３０が所望のランプ５０の接点と接触し点灯させる。【選択図】図１
2006236871.tif 000002
【特許請求の範囲】
【請求項１】
複数のランプを配設してなるオーバーヘッドモジュールにおいて、
一端をバルブ端子とし他端をスライドベースとし基部にスライドレールを挿通可能な中空部が形成された１個のスイッチノブと、
前記スイッチノブのバルブ端子が突出し摺動可能な開口部と、前記複数のランプが設けられたプリント配線基板と、
前記複数のランプに電気的に接続された複数の接点を有する基板と、を有し、
前記スイッチノブの中空部の一方端底面には、爪部が設けられ、
前記スライドレールの背面には、前記複数のランプの数に応じて前記爪部に係合可能な複数の係合溝が形成されていることを特徴とするオーバーヘッドモジュール。
【請求項２】
請求項１に記載のオーバーヘッドモジュールにおいて、
前記スイッチノブの爪部形成端には、前記爪部を挟むように２本のスリットが形成されていることを特徴とするオーバーヘッドモジュール。
【発明の詳細な説明】
【技術分野】
【０００１】
本発明は、オーバーヘッドモジュール、特に、１つのスイッチノブにより複数のランプの点灯および消灯が可能なオーバーヘッドモジュールに関する。
【背景技術】
【０００２】
従来のオーバーヘッドモジュールの一例の構成について図９および図１０を用いて説明する。
【０００３】
図９に示すように、オーバーヘッドモジュール１１０は、例えば車両の天井に下向きに装着され、ドームランプ（ルームランプともいう）、スポットランプ（以下「マップランプ」という）が設けられ、これらランプを点灯・消灯可能なスイッチが複数個設けられている。すなわち、図９のオーバーヘッドモジュール１１０には、マップランプ用スイッチ６０，６３、ドームランプ用スイッチ６２が設けられている。
【０００４】
そして、従来のマップランプ用スイッチ６０，６３およびドームランプ用スイッチ６２は、図１０に示すように、個別に形成されており、マップランプ用スイッチ６０，６３はプッシュ式のスイッチで構成され、ドームランプ用スイッチ６２はスライド式のスイッチで構成され、それぞれのスイッチの上面には、スイッチノブ７０が嵌着されている。
【発明の開示】
【発明が解決しようとする課題】
【０００５】
従来のオーバーヘッドモジュールのスイッチは、機能毎に分かれて形成されているため、車両使用者にとっては機能別に個別にスイッチ操作することができるという利点はある。
【０００６】
しかしながら、例えば、図１０に示すように、マップランプ用スイッチ６０，６３およびドームランプ用スイッチ６２を形成する場合、スイッチノブ７０を３個、プッシュ式スイッチを２個、スライド式（シーソ式）スイッチを１個の計６個の部品が必要になり、さらに、上述した各種スイッチの部品点数を考慮すると、さらに部品点数が多くなる。
【０００７】
従来のように部品点数が多くなると、組み付け作業が煩雑になるとともに、オーバーヘッドモジュール自体が高価なものになってしまう。
【０００８】
本発明は、上記課題に鑑みなされたものであり、機能の異なるスイッチを１つのスイッチに集約して部品点数を削減するとともに、安価なランプ用スイッチを有するオーバーヘッドモジュールを提供するものである。
【課題を解決するための手段】
【０００９】
上記目的を達成するために、本発明のオーバーヘッドモジュールは以下の特徴を有する。
【００１０】
（１）複数のランプを配設してなるオーバーヘッドモジュールにおいて、一端をバルブ端子とし他端をスライドベースとし基部にスライドレールを挿通可能な中空部が形成された１個のスイッチノブと、前記スイッチノブのバルブ端子が突出し摺動可能な開口部と前記複数のランプが設けられたプリント配線基板と、前記複数のランプに電気的に接続された複数の接点を有する基板と、を有し、前記スイッチノブの中空部の一方端底面には、爪部が設けられ、前記スライドレールの背面には、前記複数のランプの数に応じて前記爪部に係合可能な複数の係合溝が形成されているオーバーヘッドモジュールである。
【００１１】
１個のスイッチノブをスライドレールに沿って摺動させ、スライドレールの複数の係合溝のいずれかにスイッチノブの爪部が係合することによって、スイッチノブが鉛直下方に移動しバルブ端子が複数のランプのいずれかの接点を押圧する。これによって、所望のランプ用のスイッチをオン状態にすることができる。一方、スライドレールの複数の係合溝にスイッチノブの爪部が係合していない場合には、スイッチノブが鉛直上方に移動し、バルブ端子が複数のランプのいずれかの接点より離脱するため、ランプのスイッチをオフの状態にすることができる。
【００１２】
（２）上記（１）に記載のオーバーヘッドモジュールにおいて、前記スイッチノブの爪部形成端には、前記爪部を挟むように２本のスリットが形成されているオーバーヘッドモジュールである。
【００１３】
２本のスリットによって、爪部形成端は板バネとして機能し、これにより、スイッチノブの操作節度が得られる。
【発明の効果】
【００１４】
本発明によれば、機能の異なるスイッチを１つのスイッチに集約して部品点数を削減することができるとともに、安価なランプ用スイッチを提供することができる。
【発明を実施するための最良の形態】
【００１５】
以下、本発明の実施形態について、図面に基づいて説明する。
【００１６】
図２に示すように、本実施の形態のオーバーヘッドモジュール１００は、例えば車両の天井に下向きに装着され、１個のスイッチノブ１０がスライドすることによって、ドームランプ、マップランプのような機能の異なるランプを適宜点灯・消灯することができるものである。
【００１７】
次に、本実施の形態のオーバーヘッドモジュールの構成について、図１から図８を用いて説明する。
【００１８】
図１に示すように、スイッチノブ１０の一端には、バルブ（自動車用電球）端子が形成され、バルブ端子は、スイッチノブ１０の下端に形成された端子突起部１６と凸形状を有するスイッチ摺動子３０とからなる。上記端子突起部１６の先端には、係合爪部３４が形成され、一方、スイッチ摺動子３０の凸部先端には上記係合爪部３４が係合可能な係合孔３２が形成されている。また、スイッチノブ１０の他端には、使用者が操作可能なスライドベース１２が形成されている。さらに、スイッチノブ１０には、図１および図３に示すように、スライドレール２０を挿通可能な中空部１８が形成され、図３および図４に示すように、中空部１８の一方端底面には、爪部２４が形成されている。さらに、図５に示すように、スイッチノブ１０の中空部１８の底面の爪部形成端２８には、爪部２４を挟むように２本のスリット２６が形成され、爪部形成端２８は板バネとして機能する。そして、爪部形成端２８の板バネ機能により、スイッチノブ１０の操作節度が得られる。
【００１９】
また、図１および図６から図８に示すように、スライドレール２０の背面には、複数のランプの数に応じて、スイッチノブ１０の爪部２４と係合可能な複数の係合溝２２が設けられている。さらに、スライドレール２０の長手方向両側端には、サイドレール２１が形成され、このサイドレール２１は、スイッチノブ１０の中空部１８の側壁に係合する。また、スライドレール２０の一端部には、折り曲げ形状のストッパ３６が形成されている。
【００２０】
また、図１に示すように、プリント配線基板４０には、複数のランプ（バルブ）５０が並設され、さらに、スイッチノブ１０に取り付けられたスイッチ摺動子３０の凸部が突出し摺動可能な開口部４２が設けられている。そして、この開口部４２の下方には、複数のランプ（バルブ）５０毎にリード線によって接続された複数の接点（図示せず）を有する基板（図示せず）が設けられている。上記接点とスイッチ摺動子３０とは、同種の金属で形成され、接触することによって導通し、非接触の際には非導通となり、プリント配線基板４０上のランプ５０を適宜点灯／消灯することができる。
【００２１】
次に、図１を用いて、本実施の形態のオーバーヘッドモジュールの組み付けについて説明する。
【００２２】
まず、スイッチノブ１０の中空部１８に、スライドレール２０を挿通させた状態で、スイッチノブ１０の端子突起部１６をプリント配線基板４０の開口部４２より下方に突出させるように挿入し、その際、スライドレール２０のストッパ３６をプリント配線基板４０の背面に当接するように挿入する。次いで、プリント配線基板４０の背面からスイッチ摺動子３０を挿入し、開口部４２から突出した端子突起部１６の係合爪部３４にスイッチ摺動子３０の係合孔３２を係合させる。次に、複数の接点が形成された基板をプリント配線基板４０の背面におき、各接点と各ランプ５０とをリード線で接続する。これにより、１つのスイッチノブにより複数のランプを点灯／消灯可能なオーバーヘッドモジュールを形成することができる。なお、各接点と各ランプ５０とを１対１に接続するだけでなく、他の接続方法を採用することによって、上記点灯／消灯動作だけでなく、複数ランプの全点灯／全消灯を行うことができる。
【００２３】
次に、本実施の形態のオーバーヘッドモジュールの動作について、図１および図３から図８を用いて説明する。
【００２４】
１個のスイッチノブ１０をスライドレール２０に沿って摺動させ、スイッチノブ１０の爪部２４がスライドレール２０の複数の係合溝２２のいずれかに係合することによって、
スイッチノブ１０が鉛直下方に移動し、スイッチ摺動子３０が複数のランプ５０のいずれかに相当する接点を接触する。これによって、所望のランプ５０をオン状態にすることができる。一方、スイッチノブ１０をさらにスライドレール２０に沿って摺動させ、スライドレール２０の複数の係合溝２２にスイッチノブ１０の爪部２４が係合していない状態になった場合には、スイッチノブ１０が鉛直上方に移動し、スイッチ摺動子３０が複数のランプ５０の接点より離脱し非接触となるため、ランプ５０をオフの状態にすることができる。
【産業上の利用可能性】
【００２５】
本発明のオーバーヘッドモジュールは、車両室内用の照明用途に有用であるが、そのほかに、建物内部の小規模照明用途にも有用である。
【図面の簡単な説明】
【００２６】
【図１】本発明のオーバーヘッドモジュールの一態様の構成を説明する分解斜視図である。
【図２】本発明のオーバーヘッドモジュールの一例の構成を説明する平面図である。
【図３】本発明のオーバーヘッドモジュールの構成要素のスイッチノブの一例の構成を説明する正面図である。
【図４】本発明のオーバーヘッドモジュールの構成要素のスイッチノブの一例の構成を説明する側面図である。
【図５】本発明のオーバーヘッドモジュールの構成要素のスイッチノブの一例の構成を説明する背面図である。
【図６】本発明のオーバーヘッドモジュールの構成要素のスライドレールの一例の構成を説明する正面図である。
【図７】本発明のオーバーヘッドモジュールの構成要素のスライドレールの一例の構成を説明する側面図である。
【図８】本発明のオーバーヘッドモジュールの構成要素のスライドレールの一例の構成を説明する背面図である。
【図９】従来のオーバーヘッドモジュール一態様の構成を説明する平面図である。
【図１０】従来のオーバーヘッドモジュールに用いたスイッチの構成の一例を説明する図である。
【符号の説明】
【００２７】
１０  スイッチノブ、１２  スライドベース、１６  端子突起部、１８  中空部、２０  スライドレール、２１  サイドレール、２２  係合溝、２４  爪部、２６  スリット、２８  爪部形成端、３０  スイッチ摺動子、３２  係合孔、３４  係合爪部、３６  ストッパ、４０  プリント配線基板、４２  開口部、５０  ランプ。
【図１】
2006236871.tif 000003
【図２】
2006236871.tif 000004
【図３】
2006236871.tif 000005
【図４】
2006236871.tif 000006
【図５】
2006236871.tif 000007
【図６】
2006236871.tif 000008
【図７】
2006236871.tif 000009
【図８】
2006236871.tif 000010
【図９】
2006236871.tif 000011
【図１０】
2006236871.tif 000012